(57)【要約】    【課題】  排気アダプタの構造の簡略化により低コスト化が計れ、外装背面側からの排気アダプタの突出寸法が短くなることにより燃焼機全体としての奥行き方向寸法を短くすることが可能で、設置上の制約が少ない壁貫通設置型燃焼機を提供する。    【解決手段】  熱交換器４と、熱交換器４上部に設けられる排気室５を覆う外装１３の上記排気室５の排気出口７に接する部分の角部に設けた段部１３ａを覆って設けられる排気アダプタ９の前記排気室５の排気出口７に対向する背面側の側面１９に、外部への排気口８を設けてなる壁貫通設置型燃焼機１。    【選択図】  図１
2005321165.tif 000002
【特許請求の範囲】
【請求項１】
熱交換器とこの上部に設けられる排気室を覆う外装の上記排気室の排気出口に接する部分の角部に設けた段部を覆う排気アダプタの前記排気室の排気出口に対向する側面に、排気口を設けてなる壁貫通設置型燃焼機。
【請求項２】
排気アダプタに、排気室の排気出口に連通する排気ガイドを設けてなる請求項１記載の壁貫通設置型燃焼機。
【発明の詳細な説明】
【技術分野】
【０００１】
本発明は、給排気口を室外に位置させ浴室や台所などの外壁に設けた貫通孔内に設置して、給湯付き風呂釜や給湯機として使用する壁貫通設置型燃焼機に関する。
【背景技術】
【０００２】
図３の概略構成説明図に示すように、ガスを燃料として火炎２を作り、その熱エネルギーで温熱水を作る燃焼機として、燃焼部３の上に熱交換器４を有し、その上に排気室５を有して、排気室５から排出される排気ガス６は、上記の燃焼部３、熱交換器４及び排気室５を覆って設けられる外装１３の背面に設けた排気出口７から排出する装置で、図２（ａ）に示すように配管類の接続部を備える前カバー１５部分が浴室内や台所内などの壁面側に位置し、外装１３背面上部の排気口８及び外装１３下部の給気口１３ｂが屋外に位置するように、浴室や台所などの外壁の貫通穴に設置される構造の壁貫通設置型燃焼機３０が知られている（特許文献１参照）。
【０００３】
上記壁貫通設置型燃焼機３０の排気口８部分は、図２（ｂ）に示すように外装１３の排気室５の排気出口７に接する部分の角部に設けた段部１３ａに、外装１３の外側から後付けの排気アダプタ２２が外装１３の背面側に取付けられ、排気アダプタ２２から背面側に突出して排気口８を備える構造となっている。
そして、排気アダプタ２２の構造は、外装１３の背面１０の外装排気部１１から出た排気ガスを、排気アダプタ２２内部のクランク型の排気通路１２を通って排気口８から排出されるように、排気を延長方向で一段下げる構造が採られている。
【特許文献１】特開２００３−２６９８０２号公報
【発明の開示】
【発明が解決しようとする課題】
【０００４】
上記で述べた壁貫通設置型燃焼機３０の排気アダプタ２２は、排気アダプタ２２の内部にクランク型形状の排気通路１２を有する形状であり、図２（ｂ）に示すように外装１３の背面１０側からの突出部分Ｗ２（約３０ｍｍ程度）を必要とするとともに、また、排気ガスを水平以上の噴出しとすることからクチバシ状の水平突出部Ｗ１（約１０ｍｍ程度）も必要になり、結果として、外装１３の背面１０側からＷ３（約４０ｍｍ）の寸法分が突出することになり外装１３全体としての奥行き方向の寸法が長くなって、壁貫通設置型燃焼機３０の外装１３の給排気口部分が突出する屋外の通路側やチャンバー室の大きさによる設置上の制約などから、必要な外装１３長さに適用するために前カバー１５側の内部構造部品等の長さを短く設計する必要などが生じたり、排気アダプタ２２も内部構造が複雑となってコスト高な部品となる問題を有していた。
【０００５】
本発明は、排気ガスの水平以上の噴出しが可能であるとともに、排気アダプタの外装背面側からの突出寸法を短くすることができて燃焼機の奥行き方向寸法のコンパクト化が図れ、設置上の制約が少ない壁貫通設置型燃焼機を提供するものである。
【課題を解決するための手段】
【０００６】
本発明は、次ぎのものに関する。
（１）熱交換器とこの上部に設けられる排気室を覆う外装の上記排気室の排気出口に接する部分の角部に設けた段部を覆う排気アダプタの前記排気室の排気出口に対向する側面に、排気口を設けてなる壁貫通設置型燃焼機。
（２）排気アダプタに、排気室の排気出口に連通する排気ガイドを設けてなる上記（１）
記載の壁貫通設置型燃焼機。
（作用）
【０００７】
排気アダプタの排気室の排気出口に対向する側面に、燃焼機外への排気口を設けており、排気ガスは水平以上の吹出しとなる。また、排気ガスを排気室の排気出口から排気アダプタの排気口から水平状に排気するため、従来のように排気通路をクランク型に曲げる必要がないため排気アダプタの外装背面側からの突出寸法を短くすることができ、燃焼機全体としての奥行き方向寸法が短くなる。
【発明の効果】
【０００８】
本発明の壁貫通設置型燃焼機によれば、排気アダプタの構造の簡略化によって低コスト化が計れるとともに、外装背面側からの排気アダプタの突出寸法が短くなって燃焼機全体としての奥行き方向寸法を短くすることができ設置制約が少なくなる。
【発明を実施するための最良の形態】
【０００９】
本発明の壁貫通設置型燃焼機における排気アダプタには、排気室の排気出口からの排気ガスが排気アダプタの側面に設けた排気口へと導かれて屋外に排気されるように、角形の排気ガイドが設けられる。排気アダプタは、ステンレス鋼板などで形成され外装角部の段部にねじ等を用いて取付けられる。
【００１０】
排気アダプタを外装角部の段部に取付けた状態において、外装背面側から排気アダプタの排気口を設けた側面までの突出寸法としては、３〜１５ｍｍ、より好ましくは１０ｍｍ程度とされる。
【実施例】
【００１１】
以下、図１を参照しながら本発明による壁貫通設置型燃焼機の実施例を具体的に説明する。
図１（ａ）は本発明による壁貫通設置型燃焼機の外装背面側からの斜視図、図１（ｂ）は図１（ａ）中のＡ−Ａ要部縦断面図である。
【００１２】
図１（ａ）及び（ｂ）において、壁貫通設置型燃焼機１は、図３で示した従来の壁貫通設置型燃焼機と同様に燃焼部の上に熱交換器４を有し、この熱交換器４の上に排気出口７を備える排気室５が設けられ、これらを覆って外装１３が設けられている。また、浴室や台所等の室内側に位置される外装１３正面側の端部には、配管類の接続部を備える前カバー１５が設けられ、外装１３の背面側（屋外側）の下部には給気口１３ｂが設けられている。
【００１３】
図において、外装１３の背面側の角部に設けた段部１３ａに、段部１３ａを覆って外側から取付ける排気アダプタ９は、金属板（ステンレス鋼鈑）で形成され、上面１６、両側側面１７、下面１８が閉塞され、背面側の側面１９の一部に排気ガス６（図３参照）を排出するためのバーリング状の排気口８を備え、その排気口８は適度な開口を持っている。
【００１４】
次に、排気アダプタ９の内部について説明すると、図１（ｂ）に示すように、外装１３の外装排気部１１と、排気アダプタ９の背面側の側面１９に備えた排気口８を連通して角形の排気ガイド２０を設ける。排気ガイド２０における下ガイド２０ａは、排気アダプタ９背面側に切り欠き（間隙）を設け、排気口８より浸入する雨の跳ね返りを防止する。
また、排気ガイド２０は、外装１３の外装排気部１１より鉛直に排気口８に向かい、排気抵抗を減らす形状となっている。
排気アダプタ９の背面側の側面１９に備えた排気口８は、図１（ｂ）に示すように背面側の側面１９から突出することなく内側方向にバーリング形状とし、そのバーリングの高さは位置は、製造加工上の問題から２〜５ｍｍ程度とされる。
【００１５】
次に、排気アダプタ９の排気口８を有する側面側の側面１９の位置は、外装１３の背面板より後方側に位置し、この位置の外装１３の背面板からの突出寸法Ｗは、１０ｍｍの位置となるようにした。
【図面の簡単な説明】
【００１６】
【図１】（ａ）は本発明による壁貫通設置型燃焼機の斜視図、（ｂ）は（ａ）中のＡ−Ａ要部縦断面図である。
【図２】（ａ）は従来例による壁貫通設置型燃焼機の斜視図、（ｂ）は（ａ）中のＢ−Ｂ要部縦断面図である。
【図３】壁貫通設置型燃焼機の概略構成説明図である。
【符号の説明】
【００１７】
１  壁貫通設置型燃焼機              ２  火炎
３  燃焼部                          ４  熱交換器
５  排気室                          ６  排気ガス
７  排気出口                        ８  排気口
９  排気アダプタ                  １０  外装の背面
１１  外装排気部                  １２  排気通路
１２ａ  水平突出部                    １３  外装
１３ａ  段部                        １３ｂ  給気口
１４  ファン                        １５  前カバー
１６  上面                          １７  両側側面
１８  下面                          １９  背面側の側面
２０  排気ガイド                  ２０ａ  下ガイド
２２  排気アダプタ                  ３０  壁貫通設置型燃焼機
【図１】
2005321165.tif 000003
【図２】
2005321165.tif 000004
【図３】
2005321165.tif 000005